(57)【要約】【課題】プレビューでの動作から撮像動作に移行する際に、撮像感度を自動的に変更する機能が動作不能になるという問題を解決する。【解決手段】カメラは、撮影レンズＬＥを介して入射した被写体の像を撮像する撮像手段１２１と、露出演算を行う第１露出演算手段１０１と、演算された露出値と適正露出との露出偏差を演算し、露出偏差に基づいて露光感度を変更する第２露出演算手段１０１と、撮影レンズＬＥの絞りの状態が検出できるか否かを判定する判定手段１０１と、絞りを所定値まで絞り込んで被写体を観察するために操作されるプレビュー操作部材ＳＷ２と、撮影レンズＬＥの絞りの状態が検出できないと判定され、かつプレビュー操作部材ＳＷ２が操作されている場合は、第２露出演算手段１０１による露光感度の変更を禁止し、撮影レンズＬＥの絞りの状態が検出できると判定され、かつプレビュー操作部材ＳＷ２が操作されている場合は、第２露出演算手段１０１による露光感度の変更を許可する露出演算制御手段１０１とを備える。【選択図】図１１
2009088897.tif 000002
【特許請求の範囲】
【請求項１】
装着部に装着された撮影レンズを介して入射した被写体の像を撮像して画像を取得する撮像手段と、
前記被写体の輝度を検出する輝度検出手段と、
前記撮像手段に設定されている露光感度、前記撮像手段に設定されている露光時間、前記撮影レンズに設定されている絞り値、および前記輝度検出手段により検出された被写体輝度を用いて露出演算を行う第１露出演算手段と、
前記第１露出演算手段によって演算された露出値と適正露出との差を露出偏差として演算し、前記露出偏差に基づいて、露出値が適正露出となるように前記露光感度を変更する第２露出演算手段と、
前記装着された撮影レンズの絞り状態の検出ができるか否かを判定する判定手段と、
絞りを所定値まで絞り込んで前記被写体を観察するためにユーザにより操作されるプレビュー操作部材と、
前記判定手段により前記撮影レンズの絞り状態の検出ができないと判定され、かつ前記プレビュー操作部材が操作されている場合は、前記第２露出演算手段による前記露光感度の変更を禁止し、前記判定手段により前記撮影レンズの絞り状態の検出ができないと判定され、かつ前記プレビュー操作部材が操作されている場合は、前記第２露出演算手段による前記露光感度の変更を許可する露出演算制御手段とを備えることを特徴とするカメラ。
【請求項２】
請求項１に記載のカメラにおいて、
前記判定手段は、前記装着された撮影レンズとの間の通信結果に基づいて、前記撮影レンズの絞り状態が検出できるか否かを判定することを特徴とするカメラ。
【請求項３】
請求項１および２に記載のカメラにおいて、
前記判定手段により前記撮影レンズの絞り状態の検出ができると判定され、かつ前記プレビュー操作部材が操作されている場合には前記露出偏差の表示を禁止し、前記判定手段により前記撮影レンズの絞り状態の検出ができないと判定され、かつ前記プレビュー操作部材が操作されている場合には、前記プレビュー操作部材の操作によって変化する前記露出偏差の表示を許可する表示制御手段と、
前記表示が許可された露出偏差を表示する表示器とを備えることを特徴とするカメラ。
【請求項４】
請求項３に記載のカメラにおいて、
前記表示制御手段は、前記判定手段により前記撮影レンズの絞り状態が検出できると判定され、かつ前記プレビュー操作部材が操作されている場合、前記撮影レンズに設定されている絞り値を前記表示器に表示することを特徴とするカメラ。
【請求項５】
請求項３または４に記載のカメラにおいて、
前記露光感度および前記露光時間のいずれかの一方の設定変更を指示する指示操作部材と、
前記判定手段により前記撮影レンズの絞り状態が検出できると判定され、かつ前記プレビュー操作部材が操作されている場合には、前記指示操作部材による前記設定変更を禁止し、前記判定手段により前記撮影レンズの絞り状態が検出できないと判定され、かつ前記プレビュー操作部材が操作されている場合には、前記指示操作部材による前記設定変更を許可する設定変更制御手段とをさらに備え、
前記表示制御手段は、前記指示操作部材が許可した設定変更による露光感度および露光時間のいずれか一方を前記表示器に表示することを特徴とするカメラ。
【発明の詳細な説明】
【技術分野】
【０００１】
本発明は、撮像感度を自動的に変更できるカメラに関する。
【背景技術】
【０００２】
従来から、プレビュー駆動機構により、撮影に先立って、レンズの絞り環により設定された絞り値まで絞り込み可能なカメラが知られている（たとえば特許文献１）。
また、適正露出が得られない場合にＣＣＤなどの撮像装置の露光感度を自動変更して適正露出を得るようにしたカメラが知られている（たとえば特許文献２）。
【特許文献１】特開２００１−３０５６４７号公報
【特許文献２】特開２００６−２２２７５７号公報
【発明の開示】
【発明が解決しようとする課題】
【０００３】
周知の開放測光により適正露出を算出するには、絞り開放時の測光値、シャッタ速度、撮影時の絞り値、露光感度が必要となる。また、周知の絞り込み測光により適正露出を算出するには、撮影時の絞り値で絞り込んだ状態で得られた測光値、シャッタ速度、露光感度が必要となる。このとき、装着されたレンズの撮影時の絞り状態（絞り設定値）をカメラが検出できない場合には、レンズで設定された撮影時の絞り値をカメラ側で認識できず、開放測光による適正露出演算が不可能となるので、たとえば上記特許文献１に開示されている従来のカメラにおいては、撮影レンズの絞りを撮影時の絞り値に実際に絞るプレビュー処理中に、絞り込み測光を行うことにより、適正露出、露出偏差等の演算を可能とすることもできる。
しかしながら、このプレビュー処理に続いて撮影を行う際に、プレビュー処理の終了に伴い一旦絞りを開放するカメラが露光感度の自動変更処理を行うと、プレビュー処理中に算出された適正露出および露出偏差に基づいて露光感度を変更しても、プレビュー処理が終了し絞りが開放されると、適正露出の算出が不能となる。そのため、撮影までの間に撮影時の絞り設定値が変更されると、プレビュー時と撮影時とで適正露出が異なるので、適正露出で撮影ができないという問題がある。
【課題を解決するための手段】
【０００４】
請求項１の発明によるカメラは、装着部に装着された撮影レンズを介して入射した被写体の像を撮像して画像を取得する撮像手段と、被写体の輝度を検出する輝度検出手段と、撮像手段に設定されている露光感度、撮像手段に設定されている露光時間、撮影レンズに設定されている絞り値、および輝度検出手段により検出された被写体輝度を用いて露出演算を行う第１露出演算手段と、第１露出演算手段によって演算された露出値と適正露出との差を露出偏差として演算し、露出偏差に基づいて、露出値が適正露出となるように露光感度を変更する第２露出演算手段と、装着された撮影レンズの絞り状態の検出ができるか否かを判定する判定手段と、絞りを所定値まで絞り込んで被写体を観察するためにユーザにより操作されるプレビュー操作部材と、判定手段により撮影レンズの絞り状態の検出ができないと判定され、かつプレビュー操作部材が操作されている場合は、第２露出演算手段による露光感度の変更を禁止し、判定手段により撮影レンズの絞り状態の検出ができないと判定され、かつプレビュー操作部材が操作されている場合は、第２露出演算手段による露光感度の変更を許可する露出演算制御手段とを備えることを特徴とする。
請求項２に記載の発明は、請求項１に記載のカメラにおいて、判定手段は、装着された撮影レンズとの間の通信結果に基づいて、撮影レンズの絞り状態が検出できるか否かを判定することを特徴とする。
請求項３に記載の発明は、請求項１および２に記載のカメラにおいて、判定手段により撮影レンズの絞り状態が検出できると判定され、かつプレビュー操作部材が操作されている場合には露出偏差の表示を禁止し、判定手段により前記撮影レンズの絞り状態が検出できないと判定され、かつプレビュー操作部材が操作されている場合には、プレビュー操作部材の操作によって変化する露出偏差の表示を許可する表示制御手段と、表示が許可された露出偏差を表示する表示器とを備えることを特徴とする。
請求項４に記載の発明は、請求項３に記載のカメラにおいて、表示制御手段は、判定手段により撮影レンズの絞り状態が検出できると判定され、かつプレビュー操作部材が操作されている場合、撮影レンズに設定されている絞り値を表示器に表示することを特徴とする。
請求項５に記載の発明は、請求項３または４に記載のカメラにおいて、露光感度および露光時間のいずれかの一方の設定変更を指示する指示操作部材と、判定手段により撮影レンズの絞り状態が検出できると判定され、かつプレビュー操作部材が操作されている場合には、指示操作部材による設定変更を禁止し、判定手段により撮影レンズの絞り状態が検出できないと判定され、かつプレビュー操作部材が操作されている場合には、指示操作部材による設定変更を許可する設定変更制御手段とをさらに備え、表示制御手段は、指示操作部材が許可した設定変更による露光感度および露光時間のいずれか一方を表示器に表示することを特徴とする。
【発明の効果】
【０００５】
本発明によれば、撮像感度自動変更機能付きカメラにおいて、撮影レンズの絞り状態検出できずにプレビューした場合であっても、撮像感度自動変更機能に起因した露出不良の発生を防止できる。
【発明を実施するための最良の形態】
【０００６】
以下、図面を参照して本発明を実施するための最良の形態について説明する。本実施の形態の電子カメラは、少なくとも２種類の交換レンズを装着して撮影することができる。以下、２種類の交換レンズを新レンズ、旧レンズとして説明する。新レンズは、レンズＣＰＵおよびレンズマウント近傍に設けた接点を有し、電子カメラ本体の制御回路と電気的に接続されて各種情報が通信可能である。一方、旧レンズは、電子カメラ本体との電気接点を備えず、カメラ本体と機械的な連動によりレンズの絞り値（絞り状態）を伝達する。
【０００７】
本実施の形態の電子カメラは、旧レンズの絞り状態を検出するための機械的な機構が搭載されていない。そのため、電子カメラに新レンズが装着された際には、電気接点により、撮影レンズに設定されている（撮影時に使用される）絞り値の情報を検出可能である。しかし、電子カメラに旧レンズが装着された際には、電気接点を介して、旧レンズに設定されている絞り値が検出できない。そのため、本実施の形態の電子カメラでは、撮影レンズから絞りの情報（撮影時の絞り設定値）が検出できない場合、すなわち旧レンズが装着されている場合は、プレビュー処理中に露出制御において露光感度を自動変更する感度自動制御を行うように設定されていても、露光感度の自動変更処理を禁止するようにした。
【０００８】
図１は、本発明の一実施形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１２１は、ＣＣＤイメージセンサなどによって構成される。撮像素子１２１は、撮影レンズＬＥを通過した光による被写体像を撮像し、撮像信号をＡ／Ｄ変換回路１２２へ出力する。
【０００９】
撮像素子１２１は、ＩＳＯ１００相当〜ＩＳＯ１６００相当の範囲内において撮像感度（露光感度）を所定のステップで変更可能に構成されている。撮像感度とは、撮像素子１２１に蓄積される電荷の検出感度、もしくは不図示の増幅回路の増幅利得を変化させる被制御量のことをいう。撮像感度は、相当するＩＳＯ感度値で表される。
【００１０】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定のタイミングで駆動される。
【００１１】
ＡＳＩＣ１２３は、ディジタル変換後の信号に所定の画像処理を行う。画像処理は、ホワイトバランス（ＷＢ）調整処理、画像データを所定の形式で圧縮する圧縮処理、圧縮処理後のデータを伸長する伸長処理を含む。バッファメモリ１２５は、ＡＳＩＣ１２３によって信号処理された画像データを逐次入力し、当該データを一時的に格納する。記録媒体１２６は、着脱可能なフラッシュメモリなどによって構成される。記録媒体１２６は、バッファメモリ１２５に一時格納されている画像データを記録する。
【００１２】
露出モード設定部材１０９は、たとえば露出モードダイヤルおよびその回転位置を検出するスイッチを有し、露出モードダイヤルの設定操作に応じて、操作信号を演算回路１０１へ出力する。演算回路１０１は、露出モード設定部材１０９から操作信号が入力されると、操作信号に応じて絞り優先自動露出モード（Ａ）、およびマニュアル露出モード（Ｍ）のいずれか一つに設定する。なお、新レンズが装着された場合は、絞り優先自動露出モード（Ａ）、およびマニュアル露出モード（Ｍ）の設定が可能であり、旧レンズが装着された場合は、マニュアル露出モード（Ｍ）のみが設定可能である。
【００１３】
絞り優先自動露出モード（Ａ）では、設定されている絞り値で適正露出が得られるように露光時間を変更可能にして制御露出を演算する。マニュアル露出モード（Ｍ）では、設定されている露光時間および絞り値による制御露出と適正露出との偏差を演算する。
【００１４】
感度自動制御モード設定操作部材１０５は、感度自動制御モードの設定／解除を行うための操作部材である。感度自動制御モード設定操作部材１０５は、設定／解除操作に応じた操作信号を演算回路１０１へ出力する。演算回路１０１は、入力される操作信号に応じて感度自動制御モードの設定や解除を行う。感度自動制御モードが設定されている場合、適正露出に近づけるように、露出偏差ΔＥＶに応じて撮像感度を自動的に変更して制御露出が演算される。露出偏差ΔＥＶは、上記の絞り優先自動露出モード（Ａ）やマニュアル露出モード（Ｍ）で算出された制御露出と適正露出との偏差である。感度自動制御モードが解除されている場合、設定されている撮像感度で適正露出が得られるように制御露出が演算される。
【００１５】
感度設定部材１０４は、撮像感度設定操作に応じて操作信号を演算回路１０１へ出力する。演算回路１０１は、感度設定部材１０４から操作信号が入力されると、操作信号に応じて上述した撮像素子１２１の撮像感度の設定値を変更する。設定撮像感度ＳＶｓの設定範囲は、たとえば、５≦ＳＶｓ≦９、すなわち、ＩＳＯ１００相当〜ＩＳＯ１６００相当の範囲で設定可能に構成されている。
【００１６】
シャッタ速度設定操作部材１０７は、シャッタ速度設定操作に応じて操作信号を演算回路１０１へ出力する。演算回路１０１は、シャッタ速度設定操作信号に応じてシャッタの開口時間を設定し、上述した撮像素子１２１の露光時間を制御する。ここで、設定シャッタ速度（露光時間）ＴＶｓの設定範囲は、たとえば０≦ＴＶｓ≦１０、１秒〜１／１０００秒の範囲であり、１段ステップでいずれか１つのシャッタ速度に設定可能に構成されている。なお、本実施の形態においては、初期値としてのシャッタ速度は１／１２５秒に設定されているものとする。
【００１７】
絞り設定操作部材１０８は、絞り設定操作に応じて操作信号を演算回路１０１へ出力する。演算回路１０１は、入力された絞り設定操作信号に応じて、絞り値を開放から最小絞りまで１段ステップでいずれか１つの絞り値に設定する。設定絞り値ＡＶｓの設定範囲（すなわち、開放絞り値および最小絞り口径値）は、装着されている撮影レンズＬＥによって異なる。撮影レンズＬＥが新レンズの場合、撮影レンズＬＥのレンズ情報は、後述するレンズ情報検出装置１０３を介して演算回路１０１へ入力される。なお、本実施の形態においては、絞り値の初期値はＦ５．６に設定されているものとする。
【００１８】
表示装置１０６は、演算回路１０１の指令によりシャッタ速度、絞り値、設定撮像感度、露出モード、制御撮像感度、露出偏差、感度自動制御モードの設定状態などを表示する。
【００１９】
測光装置１０２は、撮影レンズＬＥを通過したレンズ透過光量を検出し、検出信号を演算回路１０１へ出力する。演算回路１０１は、測光装置１０２からの検出信号を用いて被写体の明るさを算出する。
【００２０】
レンズ情報検出装置１０３は、レンズマウント（不図示）の近傍に配設された接点およびインターフェイス回路によって構成される。レンズマウントに装着された撮影レンズＬＥが新レンズの場合、レンズ情報検出装置１０３は、接点およびインターフェイス回路を介してレンズＣＰＵとの間で通信を行い、レンズＣＰＵから得たレンズ情報を演算回路１０１へ転送する。また、上述したように、レンズ情報検出装置１０３は、新レンズが装着された際には、撮影レンズＬＥに設定されている（撮影時に使用される）絞り値の情報をレンズ情報として取得する。演算回路１０１は、レンズＣＰＵからレンズ情報が所定時間得られない場合、すなわち、通信が確立されない場合、旧レンズが装着されている、あるいは撮影レンズＬＥが装着されていないと判定する。
【００２１】
レリーズスイッチＳＷ１は、不図示のレリーズ操作ボタンの押し下げに連動してレリーズ操作信号を演算回路１０１へ出力する。プレビュースイッチＳＷ２は、不図示のプレビューボタンの押下げ操作に連動してプレビューの開始を指示する開始指示信号を演算回路１０１へ出力し、押下げ解除操作に連動してプレビューの解除動作を指示する解除指示信号を演算回路１０１へ出力する。
【００２２】
モータ駆動回路１１２は、演算回路１０１の指令によってシーケンスモータ１１３を駆動制御する。シーケンスモータ１１３は、不図示のシーケンス駆動装置を構成し、不図示のミラーのアップ／ダウン、不図示の絞りの駆動、およびシャッタ１１５のチャージなどを行う。演算回路１０１がプレビューの開始を指示する開始指示信号を入力すると、シーケンスモータ１１３は、演算回路１０１の指令によりミラーダウンおよびシャッタチャージ状態を保持しながら絞りの絞り込みのみを行う。また、演算回路１０１がプレビューの解除動作を指示する解除信号を入力すると、シーケンスモータ１１３は、演算回路１０１の指令によりプレビューの際に絞り込まれた絞りを開放復帰する。絞り位置検出装置１１６は絞り位置に応じた検出絞りパルス数を出力する。
【００２３】
シーケンススイッチＳＷ３は、上記シーケンス駆動装置を構成し、シーケンスモータ１１３のブレーキ制御タイミングなどを発生するスイッチである。以下、シーケンススイッチＳＷ３のオン・オフとシーケンス駆動装置の動作制御について、ミラーアップ動作の場合、ミラーダウン動作の場合、プレビューの場合、およびプレビューの解除動作の場合について説明する。
【００２４】
−ミラーアップ動作−
ミラーダウンした状態でシーケンスモータ１１３が停止している場合は、シーケンススイッチＳＷ３はオン状態を保持している。ミラーアップのためにシーケンスモータ１１３が正転を開始すると、シーケンス駆動装置が動作し、所定の時間だけ遅れてシーケンススイッチＳＷ３がオフする。シーケンスモータ１１３が正転を継続すると、シーケンス駆動装置はミラーアップおよび絞りの絞り込みを行う。そして、ミラーアップ動作完了直前にシーケンススイッチＳＷ３がオンしてブレーキ制御タイミングを発生すると、シーケンスモータ１１３が正転を停止するので、シーケンス駆動装置はミラーアップ動作を停止する。なお、シーケンス駆動装置は、絞り込み動作がミラーアップ動作の完了までに終了するように構成されているものとする。
【００２５】
−ミラーダウン動作−
ミラーアップした状態ではシーケンススイッチＳＷ３はオン状態を保持している。ミラーダウンのためにシーケンスモータ１１３が逆転を開始すると、シーケンス駆動装置が動作し、所定の時間だけ遅れてシーケンススイッチＳＷ３がオフする。シーケンスモータ１１３が逆転を継続すると、シーケンス駆動装置はミラーダウン動作を行うとともに、絞りが係止されている場合には係止を解除した後、絞りを開放復帰する。さらに、シーケンス駆動装置はシャッタ１１５をチャージする。ミラーダウン動作の完了直前にシーケンススイッチＳＷ３がオンしてブレーキ制御タイミング信号が発生すると、シーケンスモータ１１３の逆転が停止するので、シーケンス駆動装置はミラーダウン動作を停止する。なお、シーケンス駆動装置は、絞りの開放復帰およびシャッタ１１５のチャージがミラーダウン動作の完了までに終了するように構成されているものとする。
【００２６】
−プレビュー−
ミラーダウンした状態でシーケンスモータ１１３が停止している場合に、プレビュースイッチＳＷ２から開始指示信号が出力されると、演算回路１０１の指令によりシーケンスモータ１１３が逆転を開始し、シーケンス駆動装置が動作を開始する。そして、所定の時間だけ遅れてシーケンススイッチＳＷ３がオフする。シーケンスモータ１１３の逆回転が継続している間、シーケンス駆動装置は、ミラーダウンした状態およびシャッタ１１５をチャージした状態のまま絞りを絞り込む。絞りが最小絞りまで絞り込まれる直前にシーケンススイッチＳＷ３がオンしてブレーキ制御タイミングを発生すると、シーケンスモータ１１３は逆転を停止するので、シーケンス駆動装置はプレビューにともなう絞りの絞込みを停止する。
【００２７】
−プレビューの解除動作−
プレビューの最中には、シーケンススイッチＳＷ３はオン状態を保持している。プレビュースイッチＳＷ２から解除指示信号が出力されると、演算回路１０１の指令によりシーケンスモータ１１３が正転を開始し、シーケンス駆動装置が動作を開始する。そして、所定の時間だけ遅れてシーケンススイッチＳＷ３がオフする。シーケンスモータ１１３が正転回転を継続すると、シーケンス駆動装置は、プレビューの解除動作を行い、絞りが係止されている場合は係止を解除した後、絞りを開放復帰する。このとき、シーケンス駆動装置は、シャッタ１１５のチャージを保持し続ける。プレビューの解除動作完了の直前にシーケンススイッチＳＷ３がオンしてブレーキ制御タイミング信号が発生すると、シーケンスモータ１１３の正転が停止するので、シーケンス駆動装置によるプレビューの解除動作が停止される。
【００２８】
シャッタ駆動回路１１４は、シャッタ１１５の不図示の先幕および後幕の保持および解除をそれぞれ制御する。なお、シャッタ１１５はシーケンス駆動装置のミラーアップ動作の途中でチャージが解除されるので、シーケンス駆動装置によるミラーアップ動作前にシャッタ１１５の先幕および後幕の保持が行われる。絞り位置検出装置１１６は、絞り値に対応する絞りの絞り位置を検出して検出信号を演算回路１０１に出力する。絞り係止装置１１７は、駆動中の絞りを係止し、所定の絞り値で絞りを停止させる。なお、絞り係止装置１１７による絞りの係止が、ミラーダウン途中に解除されるようにシーケンス駆動装置が構成されている。
【００２９】
本実施の形態の電子カメラは、装着された撮影レンズＬＥが新レンズの場合と旧レンズの場合とに応じて、プレビューにおける演算回路１０１による感度自動制御の実行の有無を切替え可能に構成したものである。
【００３０】
（メイン処理）
実施の形態による電子カメラの演算回路１０１で行われるカメラ動作の処理の流れについて、図２のフローチャートを参照して説明する。図２のフローチャートによるプログラムは、図示しないメモリに格納されており、電子カメラの電源がＯＮされると起動する。図２のステップＳ１において、演算回路１０１は以下の初期設定を行う。すなわち、設定撮像感度ＳＶｓを５（ＩＳＯ１００に相当）に、設定シャッタ速度ＴＶｓを７（１／１２５秒）に、設定絞り値ＡＶｓを５（Ｆ５．６）に、感度自動変更モード設定フラグＳを０に、それぞれセットしてステップＳ２へ進む。なお、ＳＶｓ、ＴＶｓ、およびＡＶｓは、それぞれアペックス値が用いられる。また、フラグＳは感度自動制御モードが設定された場合は１に、設定されていない場合は０にされるフラグである。
【００３１】
ステップＳ２において、装着された撮影レンズＬＥと通信を行いステップＳ３へ進む。なお、ステップＳ２の通信処理では、通信の結果、撮影レンズＬＥが新レンズであると判定されるとフラグＬに１を、旧レンズまたはレンズが装着されていないと判定されるとフラグＬに０が代入される。ステップＳ２での処理の詳細については後述する。ステップＳ３において、各種の操作部材による電子カメラの設定処理を行いステップＳ４へ進む。ステップＳ４での設定処理では、各操作入力に応じて、シャッタ速度、絞り値、感度、感度自動制御等が設定変更される。設定処理の詳細については後述する。
【００３２】
ステップＳ４において、測光装置１０２から入力される検出信号を用いて測光処理を行いステップＳ５へ進む。なお、測光処理の詳細については後述する。ステップＳ５においては、露出演算処理を行いステップＳ６へ進む。露出演算処理に関しては後に詳しく説明する。なお、Ｌ＝０の場合、つまり撮影レンズＬＥが旧レンズである場合は、上述のステップＳ４およびＳ５における測光処理、露出演算処理は実質的に行われない。
【００３３】
ステップＳ６において、表示装置１０９に対する表示処理を行ってステップＳ７へ進む。表示処理の詳細については後述する。ステップＳ７においては、プレビュー動作が指示されたか否かを判定する。プレビュースイッチＳＷ２からプレビュー開始指示信号を入力しない場合は、ステップＳ７が否定判定されてステップＳ８へ進む。ステップＳ８においては、通信成立フラグＬが０であるか否かを判定する。フラグＬが１の場合、すなわち新レンズが装着されている場合は、ステップＳ８が否定判定されて、ステップＳ９をスキップしてステップＳ１０へ進む。フラグＬが０の場合、すなわち旧レンズが装着されている場合、ステップＳ８が肯定判定されてステップＳ９へ進む。なお、フラグＬは撮影レンズＬＥとの通信が成立している場合は１に、成立していない場合は０にされるフラグである。
【００３４】
ステップＳ９において、露出モード設定部材１０９によりマニュアル露出モード（Ｍ）に設定されているか否かを判定する。絞り優先自動露出モード（Ａ）に設定されている場合は、ステップＳ９が否定判定されてステップＳ２へ戻る。マニュアル露出モード（Ｍ）に設定されている場合は、ステップＳ９が肯定判定されてステップＳ１０へ進む。
【００３５】
ステップＳ１０において、レリーズボタンが押下操作されたか否かを判定する。レリーズスイッチＳＷ１からレリーズ操作信号を入力しない場合は、ステップＳ１０が否定判定されてステップＳ２へ戻る。レリーズスイッチＳＷ１からレリーズ操作信号を入力した場合はステップＳ１０が肯定判定されてステップＳ１１へ進む。ステップＳ１１においては、撮像シーケンス処理を行いステップＳ２へ戻る。なお、撮像シーケンス処理の詳細については後述する。
【００３６】
プレビュースイッチＳＷ２からプレビュー開始指示信号を入力した場合、ステップＳ７が肯定判定されてステップＳ１２へ進み、ステップＳ８と同様にフラグＬが０であるか否かを判定する。フラグＬが１の場合、すなわち新レンズが装着されている場合は、ステップＳ１２が否定判定されて、ステップＳ１３をスキップしてステップＳ１４へ進む。フラグＬが０の場合、すなわち旧レンズが装着されている場合、ステップＳ１２が肯定判定されてステップＳ１３へ進む。
【００３７】
ステップＳ１３において、ステップＳ９と同様に露出モード設定部材１０９によりマニュアル露出モード（Ｍ）に設定されているか否かを判定する。絞り優先自動露出モード（Ａ）に設定されている場合は、ステップＳ１３が否定判定されてステップＳ２へ戻る。マニュアル露出モード（Ｍ）に設定されている場合は、ステップＳ１３が肯定判定されてステップＳ１４へ進む。ステップＳ１４において、プレビューシーケンス処理を行いステップＳ２へ戻る。なお、プレビューシーケンス処理の詳細については後述する。
【００３８】
（通信処理）
図２のステップＳ２における電子カメラ本体および撮影レンズＬＥ間の通信処理の詳細について、図３のフローチャートを参照して説明する。図３のステップＳ２１において、計時パラメータｔを初期値の０に設定し、計時を開始してステップＳ２２へ進む。ステップＳ２２において、レンズＣＰＵ（不図示）との間の通信が成立したか否か、すなわち新レンズが装着されているか否かを判定する。通信成立の判定は、所定のプロトコルチェックによって行う。通信成立の場合はステップＳ２２を肯定判定してステップＳ２５へ進む。一方、通信不成立の場合にはステップＳ２２を否定判定してステップＳ２３へ進む。
【００３９】
ステップＳ２３において、計時時間ｔと所定時間Ｔとの間にｔ≧Ｔが成立するか否かを判定する。所定時間Ｔは、プロトコルチェックに要する時間に、若干のマージン時間を加えた時間である。演算回路１０１は、ｔ≧Ｔが成立する場合にステップＳ２３を肯定判定してステップＳ２４へ進み、ｔ≧Ｔが成立しない場合にステップＳ２３を否定判定してステップＳ２２へ戻る。ステップＳ２４へ進む場合は、撮影レンズＬＥが装着されていない場合もしくは撮影レンズＬＥが旧レンズの場合であり、ステップＳ２２へ戻る場合は、プロトコルチェックの途中である。ステップＳ２４において、フラグＬに０をセットしてステップＳ２７へ進む。
【００４０】
上述したステップ２２が肯定判定されて進んだステップＳ２５においては、レンズＣＰＵから、レンズ情報に含まれる開放絞り値ＡＶ０および最小絞り値ＡＶMを受信してステップＳ２６へ進む。ステップＳ２６において、フラグＬに１をセットしてステップＳ２７へ進む。ステップＳ２７において、時間ｔの計時を停止して図２のステップＳ３へ進む。
【００４１】
（設定処理）
図２のステップＳ３における設定処理の詳細について、図４、および図５のフローチャートを参照して説明する。図４のステップＳ３１において、感度自動制御モードの設定もしくは解除操作が行われたか否かを判定する。感度自動制御モード設定部材１０５から操作信号が入力されない場合はステップＳ３１が否定判定されてステップＳ３５へ進み、操作信号が入力された場合はステップＳ３１が肯定判定されてステップＳ３２へ進む。
【００４２】
ステップＳ３２においては、感度自動制御モード設定フラグＳが０であるか否かを判定する。Ｓ＝０（感度自動制御モードが解除されている）の場合にはステップＳ３２が肯定判定されてステップＳ３３へ進み、Ｓ＝１（感度自動制御モードに設定されている）の場合にはステップＳ３２が否定判定されてステップＳ３４へ進む。ステップＳ３２において、フラグＳを１にセット（感度自動制御モードに設定）して図４による処理を終了し、図２のステップＳ４へ進む。ステップＳ３４において、フラグＳを０にセット（感度自動制御モードを解除）して図４による処理を終了し、図２のステップＳ４へ進む。
【００４３】
ステップＳ３１が否定判定されて進んだステップＳ３５においては、感度設定部材１０４により設定撮像感度ＳＶｓが変更されたか否かを判定する。撮像感度が変更されていない場合は、ステップＳ３５が否定判定されて図５のステップＳ５１へ進み、撮像感度が変更された場合は、ステップＳ３５が肯定判定されてステップＳ３６へ進む。
【００４４】
ステップＳ３６においては、感度設定操作部材１０４により設定撮像感度ＳＶｓが高感度側に設定されたか否かを判定する。設定撮像感度ＳＶｓが高感度側に設定された場合はステップＳ３６が肯定判定されてステップＳ３７へ進み、高感度側に設定されていない場合はステップＳ３８が否定判定されてステップＳ３９へ進む。
【００４５】
ステップＳ３７においては、設定撮像感度ＳＶｓが９であるか否か、すなわちＩＳＯ１６００相当であるか否かを判定する。設定撮像感度ＳＶｓが９の場合は、ステップＳ３７が肯定判定され、これ以上高感度側に設定できないので、撮像感度を変更せずに図２のステップＳ４へ進む。設定撮像感度ＳＶｓが９ではない場合は、ステップＳ３７が否定判定されてステップＳ３８へ進む。ステップＳ３８においては、設定撮像感度ＳＶｓの値に１を加算し、新たな設定撮像感度ＳＶｓを設定して図２のステップＳ４へ進む。これにより、設定撮像感度ＳＶｓの値が１段分高感度側に変更される。
【００４６】
ステップＳ３６が否定判定されて進んだステップＳ３９においては、感度設定操作部材１０４により設定撮像感度ＳＶｓが低感度側に設定されたか否かを判定する。低感度側に設定された場合は、ステップＳ３９が肯定判定されてステップＳ４０へ進み、低感度側に設定されていない場合はステップＳ３９が否定判定され、設定撮像感度ＳＶｓの変更をせずに図２のステップＳ４へ進む。
【００４７】
ステップＳ４０においては、設定撮像感度ＳＶｓが５であるか否か、すなわちＩＳＯ１００相当であるか否かを判定する。設定撮像感度ＳＶｓが５の場合は、ステップＳ４０が肯定判定され、これ以上低感度側に設定できないので、撮像感度を変更せずに図２のステップＳ４へ進む。設定撮像感度ＳＶｓが５ではない場合は、ステップＳ４０が否定判定されてステップＳ４１へ進む。ステップＳ４１においては、設定撮像感度ＳＶｓの値から１を減算して新たな設定撮像感度ＳＶｓを設定して図２のステップＳ４へ進む。これにより、設定撮像感度ＳＶｓの値が１段分低感度側に変更される。
【００４８】
一方、ステップＳ３５が否定判定されて進んだ図５のステップＳ５１においては、フラグＬが１であるか否かを判定する。フラグＬが１（新レンズ装着）の場合、ステップＳ５１が肯定判定されてステップＳ５２へ進み、フラグＬが０（旧レンズ装着）の場合、ステップＳ５１が否定判定されて後述するステップＳ６１へ進む。ステップＳ５２において、絞り設定部材１０８により設定絞り値ＡＶｓが変更されたか否かを判定する。設定絞り値ＡＶｓが変更された場合はステップＳ５２が肯定判定されてステップＳ５３へ進み、設定絞り値ＡＶｓが変更されていない場合はステップＳ５２が否定判定されて後述するステップＳ６１へ進む。
【００４９】
ステップＳ５３においては、ステップＳ５２における設定絞り値ＡＶｓの変更が絞り径を低減する変更であるか否かを判定する。絞り径を低減する変更である場合はステップＳ５３が肯定判定されてステップＳ５４へ進み、絞り径を低減する変更でない場合はステップＳ５３が否定判定されてステップＳ５７へ進む。
【００５０】
ステップＳ５４において、設定絞り値ＡＶｓの値に１を加算してステップＳ５５へ進む。これにより、絞り径が１段小さくなるように設定絞り値ＡＶｓが設定される。ステップＳ５５においては、設定絞り値ＡＶｓの値が最小絞り値ＡＶＭより大きいか否かを判定する。設定絞り値ＡＶｓの値が最小絞り値ＡＶＭの値よりも大きい場合は、ステップＳ５５が肯定判定されてステップＳ５６へ進む。ステップＳ５６では、最小絞り値ＡＶＭの値よりも設定絞りＡＶｓの値を大きく設定できないので、設定絞り値ＡＶｓの値に最小絞り値ＡＶＭの値を設定して図２のステップＳ４へ進む。設定絞り値ＡＶｓの値が最小絞り値ＡＶＭの値よりも小さい場合は、ステップＳ５５が否定判定されて図２のステップＳ４へ進む。
【００５１】
ステップＳ５３が否定判定されて進んだステップＳ５７においては、ステップＳ５２における設定絞り値ＡＶｓの変更が絞り径を増大する変更であるか否かを判定する。絞り径を増大する変更である場合はステップＳ５７が肯定判定されてステップＳ５８へ進み、絞り径を増大する変更でない場合はステップＳ５７が否定判定されて図２のステップＳ４へ進む。
【００５２】
ステップＳ５８において、設定絞り値ＡＶｓの値から１を減算してステップＳ５９へ進む。これによって、絞り径が１段分大きくなるように設定絞り値ＡＶｓが設定される。ステップＳ５９においては、設定絞り値ＡＶｓの値が開放絞り値ＡＶ０より小さいか否かを判定する。設定絞り値ＡＶｓの値が開放絞り値ＡＶ０の値よりも小さい場合は、ステップＳ５９が肯定判定されてステップＳ６０へ進む。ステップＳ６０では、開放絞り値ＡＶ０の値よりも設定絞りＡＶｓの値を小さく設定できないので、設定絞り値ＡＶｓの値に開放絞り値ＡＶ０の値を設定して図２のステップＳ４へ進む。設定絞り値ＡＶｓの値が開放絞り値ＡＶ０の値よりも大きい場合は、ステップＳ５９が否定判定されて図２のステップＳ４へ進む。
【００５３】
一方、ステップＳ５１もしくはステップＳ５２が否定判定されて進んだステップＳ６１においては、露出モード設定部材１０９によりマニュアル露出モード（Ｍ）に設定されているか否かを判定する。マニュアル露出モード（Ｍ）に設定されている場合はステップＳ６１が肯定判定されてステップＳ６２へ進み、絞り優先自動露出モード（Ａ）に設定されている場合はステップＳ６１が否定判定されて図２のステップＳ４へ進む。
【００５４】
ステップＳ６２において、シャッタ速度設定部材１０７により設定シャッタ速度ＴＶｓが変更されたか否かを判定する。設定シャッタ速度ＴＶｓが変更されていない場合はステップＳ６２が否定判定されて図２のステップＳ４へ進み、設定シャッタ速度ＴＶｓが変更されている場合はステップＳ６２が肯定判定されてステップＳ６３へ進む。ステップＳ６３においては、ステップＳ６２における設定シャッタ速度ＴＶｓの変更はシャッタ速度を高速側に設定する変更であるか否かを判定する。設定シャッタ速度ＴＶｓが高速側に変更された場合はステップＳ６３が肯定判定されてステップＳ６４へ進み、設定シャッタ速度ＴＶｓが高速側に変更されていない場合はステップＳ６３が否定判定されてステップＳ６７へ進む。
【００５５】
ステップＳ６４において、設定シャッタ速度ＴＶｓの値に１を加算してステップＳ６５へ進む。これにより、設定シャッタ速度ＴＶｓの値が１段分高速側に設定される。ステップＳ６５において、ステップＳ６４で新たに設定した設定シャッタ速度ＴＶｓの値が１０よりも大きい、すなわち設定シャッタ速度が１／１０００秒よりも高速側に設定されたか否かを判定する。設定シャッタ速度ＴＶｓの値が１０以下の場合、すなわち設定シャッタ速度が１／１０００秒以下の場合はステップＳ６５が否定判定されて図２のステップＳ４へ進む。設定シャッタ速度ＴＶｓが１０より大きい場合は、ステップＳ６５が肯定判定されてステップＳ６６へ進む。ステップＳ６６においては、設定シャッタ速度を最高速である１／１０００秒よりも高速に設定できないので、設定シャッタ速度ＴＶｓの値を１０、すなわち設定シャッタ速度を１／１０００秒に設定して図２のステップＳ４へ進む。
【００５６】
ステップＳ６３が否定判定されて進んだステップＳ６７においては、ステップＳ６２における設定シャッタ速度ＴＶｓの変更がシャッタ速度を低速側に設定する変更であるか否かを判定する。設定シャッタ速度ＴＶｓが高速側に設定された場合は、ステップＳ６７が否定判定されて図２のステップＳ４へ進む。設定シャッタ速度ＴＶｓが低速側に設定された場合は、ステップＳ６７が肯定判定されてステップＳ６８へ進む。ステップＳ６８においては、設定シャッタ速度ＴＶｓの値から１を減算してステップＳ６９へ進む。これにより、設定シャッタ速度ＴＶｓの値が１段分低速側に設定される。
【００５７】
ステップＳ６９において、ステップＳ６８で設定した設定シャッタ速度ＴＶｓの値が０よりも小さい、すなわち設定シャッタ速度が１秒よりも低速側に設定されたか否かを判定する。設定シャッタ速度ＴＶｓの値が０以上の場合は、ステップＳ６８が否定判定されて図２のステップＳ４へ進む。設定シャッタ速度ＴＶｓの値が０よりも小さい場合は、ステップＳ６８が肯定判定されてステップＳ７０へ進む。ステップＳ７０において、設定シャッタ速度を最低速の１秒よりも低速側に設定することができないので、設定シャッタ速度ＴＶｓの値を０、すなわち設定シャッタ速度を１秒に設定して図２のステップＳ４へ進む。
【００５８】
（測光処理）
図２のステップＳ４における測光処理の詳細について、図６のフローチャートを参照して説明する。ステップＳ７１において、通信成立フラグＬが１であるか否かを判定する。フラグＬが０（旧レンズ装着）の場合、ステップＳ７１が否定判定されて図２のステップＳ５へ進む。フラグＬが１（新レンズ装着）の場合、ステップＳ７１が肯定判定されてステップＳ７２へ進む。ステップＳ７２において、新レンズを開放絞りにした状態で測光装置１０２で検出した被写体光の開放測光値（ＢＶ−ＡＶ０）を取り込み、図２のステップＳ５へ進む。
【００５９】
（露出演算処理）
図２のステップＳ５における露出演算処理の詳細について、図７のフローチャートを参照して説明する。ステップＳ８１において、通信成立フラグＬが１であるか否かを判定する。フラグＬが０（旧レンズ装着）の場合、ステップＳ８１が否定判定されて図２のステップＳ６へ進む。フラグＬが１（新レンズ装着）の場合、ステップＳ８１が肯定判定されてステップＳ８２へ進む。
【００６０】
ステップＳ８２において、新レンズの開放絞り値ＡＶ０、設定感度ＳＶｓ、およびステップＳ７２で取り込んだ開放測光値（ＢＶ−ＡＶ０）に基づいて、以下の式（１）を用いて露出値ＥＶを算出してステップＳ８３へ進む。
ＥＶ＝（ＢＶ−ＡＶ０）＋ＡＶ０＋ＳＶｓ  ・・・（１）
【００６１】
ステップＳ８３において、露出モード設定部材１０９により絞り優先自動露出モード（Ａ）が選択されているか否かを判定する。絞り優先自動露出モード（Ａ）が選択されている場合はステップＳ８３が肯定判定されてステップＳ８４へ進み、マニュアル露出モード（Ｍ）が選択されている場合はステップＳ８３が否定判定されてステップＳ８９へ進む。
【００６２】
ステップＳ８４において、ステップＳ８２で算出した露出値ＥＶ、および設定絞り値ＡＶｓを用いて以下の式（２）により制御シャッタ速度ＴＶｃを算出してステップＳ８５へ進む。
ＴＶｃ＝ＥＶ−ＡＶｓ  ・・・（２）
【００６３】
ステップＳ８５では、ステップＳ８４で算出した制御シャッタ速度ＴＶｃの値が０よりも小さい、すなわち制御シャッタ速度が最低速である１秒よりも低速であるか否かを判定する。制御シャッタ速度ＴＶｃの値が０よりも小さい場合はステップＳ８５が肯定判定されてステップＳ８６へ進み、制御シャッタ速度ＴＶｃの値が０以上の場合はステップＳ８５が否定判定されてステップＳ８７へ進む。
【００６４】
ステップＳ８６では、制御シャッタ速度を最低速である１秒よりも低速に設定できないので、制御シャッタ速度ＴＶｃの値を０、すなわち制御シャッタ速度を１秒に設定してステップＳ９０へ進む。ステップＳ８５が否定判定されて進んだステップＳ８７においては、ステップＳ８４で算出した制御シャッタ速度ＴＶｃの値が１０よりも大きい、すなわち制御シャッタ速度が最高速である１／１０００秒よりも高速であるか否かを判定する。制御シャッタ速度ＴＶｃの値が１０以下の場合にはステップＳ８７が否定判定されてステップＳ９０へ進み、制御シャッタ速度ＴＶｃの値が１０よりも大きい場合はステップＳ８７が肯定判定されてステップＳ８８へ進む。
【００６５】
ステップＳ８８においては、制御シャッタ速度ＴＶｃの値を１０よりも大きく、すなわち制御シャッタ速度を１／１０００秒よりも高速に設定できないので、制御シャッタ速度ＴＶｃの値を１０、すなわち制御シャッタ速度を１／１０００秒に設定してステップＳ９０へ進む。
【００６６】
一方、ステップＳ８３が否定判定されて進んだステップＳ８９においては、設定シャッタ速度ＴＶｓの値を制御シャッタ速度ＴＶｃの値として設定してステップＳ９０へ進む。すなわち、マニュアル露出モード（Ｍ）ではシャッタ速度を設定シャッタ速度に制御する。
【００６７】
ステップＳ９０において、設定絞り値ＡＶｓの値を制御絞り値ＡＶｃの値として設定してステップＳ９１へ進む。すなわち、絞り優先自動露出モード（Ａ）もしくはマニュアル露出モード（Ｍ）のいずれの場合であっても、絞りを設定絞り値に制御する。
【００６８】
ステップＳ９１において、以下の式（３）に示すように、制御絞りパルス数Ｐｃを絞り込み段数（ＡＶｃ−ＡＶ０）の関数ｆとして算出して、ステップＳ９２へ進む。
Ｐｃ＝ｆ（ＡＶｃ−ＡＶ０）  ・・・（３）
【００６９】
なお、絞りの絞り込み段数と、絞り位置検出装置１１６が検出する検出絞りパルス数とは基本的には比例関係であるが、絞り開放付近において絞り検出装置１１６が出力する検出絞りパスル数は増加する。そのために、本実施の形態では、制御絞りパルス数Ｐｃを絞り込み段数（ＡＶｃ−ＡＶ０）の関数として算出している。
【００７０】
ステップＳ９２において、以下の式（４）を用いて露出偏差ΔＥＶを算出してステップＳ９３へ進む。
ΔＥＶ＝ＥＶ−ＴＶｃ−ＡＶｃ  ・・・（４）
【００７１】
ステップＳ９３において、感度自動制御モード設定フラグＳが１であるか否かを判定する。フラグＳが０（感度自動制御モード解除）の場合はステップＳ９３が否定判定されてステップＳ１０２へ進み、フラグＳが１（感度自動制御モード設定）の場合はステップＳ９３が肯定判定されてステップＳ９４へ進む。
【００７２】
ステップＳ９４において、以下の式（５）に示すように、露出偏差ΔＥＶに相当する量だけ設定感度ＳＶｓを変化させるために、設定感度ＳＶｓから露出偏差ΔＥＶを減算した値を制御感度ＳＶｃとして設定してステップＳ９５へ進む。
ＳＶｃ＝ＳＶｓ−ΔＥＶ  ・・・（５）
【００７３】
ステップＳ９５では、ステップＳ９４で算出した制御感度ＳＶｃの値が５より小さい、すなわち設定可能なＩＳＯ１００相当よりも小さいか否かを判定する。制御感度ＳＶｃの値が５以上の場合、すなわちＩＳＯ１００相当以上の場合はステップＳ９４が否定判定されてステップＳ９７へ進み、制御感度ＳＶｃの値が５よりも小さい場合、すなわちＩＳＯ１００相当よりも小さい場合はステップＳ９５が肯定判定されてステップＳ９６へ進む。ステップＳ９６において、制御感度をＩＳＯ１００相当よりも小さく設定することができないので、制御感度ＳＶｃの値を５、すなわち制御感度をＩＳＯ１００相当に設定してステップＳ９９へ進む。
【００７４】
ステップＳ９５が否定判定されて進んだステップＳ９７においては、制御感度ＳＶｃの値が９よりも大きい、すなわちＩＳＯ１６００相当よりも大きいか否かを判定する。制御感度ＳＶｃが９以下の場合、ステップＳ９７が否定判定されてステップＳ９９へ進む。制御感度ＳＶｃが９よりも大きい場合、ステップＳ９７が肯定判定されてステップＳ９８へ進む。ステップＳ９８において、制御感度をＩＳＯ１６００相当よりも大きく設定することができないので、制御感度ＳＶｃの値を９、すなわち制御感度をＩＳＯ１６００相当に設定してステップＳ９９へ進む。
【００７５】
ステップＳ９９において、制御感度ＳＶｃの値と設定感度ＳＶｓの値との差の絶対値が所定値δ未満か否かを判定する。所定値δ未満の場合は、制御感度ＳＶｃと設定感度ＳＶｓが等しいと判断し、ステップＳ９９が肯定判定されてステップＳ１００へ進む。ステップＳ１００において、フラグＣを０に設定して図２のステップＳ６へ進む。なお、フラグＣは制御感度ＳＶｃと設定感度ＳＶｓが等しいと判断された場合には０に設定され、制御感度ＳＶｃと設定感度ＳＶｓが異なると判断された場合には１に設定されるフラグである。また、所定値δは、たとえば１／１２ＥＶ〜１／３ＥＶの範囲で１／６ＥＶ程度が好ましい。
【００７６】
制御感度ＳＶｃの値と設定感度ＳＶｓの値との差の絶対値が所定値δ以上の場合は、制御感度ＳＶｃと設定感度ＳＶｓが異なると判断し、ステップＳ９９が否定判定されてステップＳ１０１へ進む。ステップＳ１０１においては、フラグＣを１に設定して図２のステップＳ６へ進む。
【００７７】
一方、ステップＳ９３が否定判定されて進んだステップＳ１０２においては、感度自動制御モードが解除されているために、制御感度と設定感度とが同一となるので、フラグＣを０に設定して図２のステップＳ６へ進む。
【００７８】
（表示処理）
図２のステップＳ６における表示処理の詳細について、図８のフローチャートを参照して説明する。ステップＳ１１１において、通信成立フラグＬが１であるか否かを判定する。フラグＬが０（旧レンズ装着）の場合、ステップＳ１１１が否定判定されて後述するステップＳ１２１へ進む。フラグＬが１（新レンズ装着）の場合、ステップＳ１１１が肯定判定されてステップＳ１１２へ進む。
【００７９】
ステップＳ１１２において、露出モード設定部材１０９により絞り優先自動露出モード（Ａ）が選択されているか否かを判定する。絞り優先自動露出モード（Ａ）が選択されている場合はステップＳ１１２が肯定判定されてステップＳ１１３へ進む。ステップＳ１１３において、表示装置１０６に制御シャッタ速度ＴＶｃの値および設定絞りＡＶｓの値を点灯表示してステップＳ１１５へ進む。露出モード設定部材に１０９によりマニュアル露出モード（Ｍ）が選択されている場合はステップＳ１１２が否定判定されてステップＳ１１４へ進む。ステップＳ１１４においては、表示装置１０６に設定シャッタ速度ＴＶｓの値、設定絞りＡＶｓの値、および露出偏差ΔＥＶの値を点灯表示してステップＳ１１５へ進む。ここで、露出偏差ΔＥＶの値は、たとえば露出偏差インジケータなどのような形態で表示されるものとする。なお、露出偏差ΔＥＶの値は、正の場合に露出オーバー、負の場合に露出アンダーとなるように表示するのが好ましい。
【００８０】
ステップＳ１１５では、感度自動制御フラグＳが１であるか否かを判定する。フラグＳが０（感度自動制御モード解除）の場合はステップＳ１１５が否定判定されて、後述するステップＳ１２０へ進む。フラグＳが１（感度自動制御モード設定）の場合は、ステップＳ１１５が肯定判定されてステップＳ１１６へ進む。
【００８１】
ステップＳ１１６において、フラグＣが１であるか否かを判定する。フラグＣが０（制御感度ＳＶｃと設定感度ＳＶｓが異なる）の場合はステップＳ１１６が否定判定されてステップＳ１１９へ進み、フラグＣが１（制御感度ＳＶｃと設定感度ＳＶｓが等しい）の場合はステップＳ１１６が肯定判定されてステップＳ１１７へ進む。ステップＳ１１７においては、表示装置１０６に「ＩＳＯ  ＡＵＴＯ」の文字もしくはマークを点滅表示してステップＳ１１８へ進む。ステップＳ１１８において、表示装置１０６に制御感度ＳＶｃの値を点灯表示して図２のステップＳ７へ進む。この結果、撮像感度が制御感度に変更されていることを強調して表示することができる。
【００８２】
ステップＳ１１６が否定判定されて進んだステップＳ１１９においては、表示装置１０６に「ＩＳＯ  ＡＵＴＯ」の文字もしくはマークを点灯表示してステップＳ１２０へ進む。ステップＳ１２０において、表示装置１０６に設定感度ＳＶｓの値を点灯表示して図２のステップＳ７へ進む。
【００８３】
一方、ステップＳ１１１が否定判定されて進んだステップＳ１２１においては、露出モード設定部材１０９により、マニュアル露出モード（Ｍ）に設定されているか否かを判定する。マニュアル露出モード（Ｍ）に設定されている場合は、ステップＳ１２１が肯定判定されてステップＳ１２２へ進む。ステップＳ１２２においては、表示装置１０６に設定シャッタ速度ＴＶｓの値を点灯表示する。さらに、設定絞り値ＡＶｓが不明なので、表示装置１０６に「Ｆ−−」マークを点灯表示してステップＳ１２０へ進む。
【００８４】
露出モード設定部材１０９により、絞り優先自動露出モード（Ａ）に設定されている場合は、ステップＳ１２１が否定判定されてステップＳ１２３へ進む。ステップＳ１２３においては、表示装置１０６に「Ｆ−−」マークを点滅表示してステップＳ１２０へ進む。「Ｆ−−」マークを点滅表示することにより、旧レンズ装着もしくは撮影レンズＬＥ非装着の場合は絞り優先自動露出モードでは撮影できないことを警告することができる。
【００８５】
（撮像シーケンス処理）
図２のステップＳ１１における撮像シーケンス処理の詳細について、図９のフローチャートを参照して説明する。図９のステップＳ１３１において、シャッタ駆動回路１１４に指令を出力し、シャッタ１１５の不図示のマグネットに通電して先幕および後幕を保持させる。ステップＳ１３２において、モータ駆動回路１１２に指令を出力し、シーケンスモータ１１３に正転を開始させてステップＳ１３３へ進む。これにより、不図示のミラーのミラーアップおよび絞りの絞り込みが開始される。ステップＳ１３３において、通信成立フラグＬが１であるか否かを判定する。フラグＬが０（旧レンズ装着）の場合、ステップＳ１３３が否定判定されて後述するステップＳ１３７へ進む。フラグＬが１（新レンズ装着）の場合、ステップＳ１３３が肯定判定されてステップＳ１３４へ進む。
【００８６】
ステップＳ１３４において、絞り位置検出装置１１６から入力される信号によって検出絞りパルス数Ｐｋを検出してステップＳ１３５へ進む。ステップＳ１３５において、ステップＳ１３４で検出した検出絞りパルス数Ｐｋ、および前述したステップＳ５の露出演算で算出した制御絞りパルス数Ｐｃとの間にＰｋ≧Ｐｃが成立するか否かを判定する。Ｐｋ≧Ｐｃが成立する場合にはステップＳ１３５が肯定判定されてステップＳ１３６へ進み、Ｐｋ≧Ｐｃが成立しない場合にステップＳ１３５が否定判定される。否定判定された場合には、絞り込みを継続するようにステップＳ１３４へ戻る。
【００８７】
ステップＳ１３６において、絞り係止装置１１７に指令を出力して絞りを係止させ、ステップＳ１３７へ進む。ステップＳ１３７において、ミラーアップが終了したか否かを判定する。シーケンススイッチＳＷ３からオン信号が入力されるとステップＳ１３７が肯定判定されてステップＳ１３８へ進み、シーケンススイッチＳＷ３からオン信号が入力されない場合はステップＳ１３７が否定判定される。否定判定する場合には、ミラーアップを継続するように判定処理を繰り返す。
【００８８】
ステップＳ１３８において、モータ駆動回路１１２に指令を出力し、シーケンスモータ１１３を停止させてステップＳ１３９へ進む。なお、ミラーアップの終了より先に絞り係止装置１１７によって絞りの係止が終了するように不図示のシーケンス駆動装置が構成されている。ステップＳ１３９において、所定時間のウエイトをおいてステップＳ１４０へ進む。所定時間は、ミラーアップ後のバウンドが安定するまでに要する時間とする。
【００８９】
ステップＳ１４０において、タイミング回路１２４に駆動信号の発生を開始させて撮像素子１２１の駆動を開始し、ステップＳ１４１へ進む。これにより、撮像素子１２１が電荷蓄積を開始する。ステップＳ１４１において、シャッタ駆動回路１１４に指令を出力し、シャッタ１１５の不図示のマグネットへの通電を解除して先幕保持を解除させ、ステップＳ１４２へ進む。これによってシャッタ先幕の走行が開始され、撮像素子１２１の撮像面に到達した被写体光の強さに応じて撮像素子１２１が電荷を蓄積する。ステップＳ１４２において、制御シャッタ速度ＴＶｃに相当する時間のウエイト後にシャッタ駆動回路１１４に指令を出力し、シャッタ１１５の不図示のマグネットへの通電を解除して後幕保持を解除させ、ステップＳ１４３へ進む。これによってシャッタ後幕の走行が開始され、撮像素子１２１への被写体光が遮断される。
【００９０】
ステップＳ１４３において、所定時間のウエイトをおいてステップＳ１４４へ進む。所定時間は、後幕が撮像素子１２１の撮像領域を完全に遮光し、走行完了するまでに要する時間とする。ステップＳ１４４において、撮像素子１２１の電荷蓄積を終了させてステップＳ１４５へ進む。ステップＳ１４５において、モータ駆動回路１１２に指令を出力し、シーケンスモータ１１３に逆転を開始させてステップＳ１４６へ進む。これにより、不図示のミラーのミラーダウン動作および絞りの開放復帰動作が開始される。ステップＳ１４６において、タイミング回路１２４に指令を出力し、撮像素子１２１から蓄積電荷の読み出しを行い、ステップＳ１４７へ進む。
【００９１】
ステップＳ１４７において、ＡＳＩＣ１２３に画像処理を行わせ、ステップＳ１４８へ進む。ステップＳ１４８において、ＡＳＩＣ１２３に画像圧縮処理を行わせ、ステップＳ１４９へ進む。ステップＳ１４９において、画像圧縮後にバッファメモリ１２５に格納されている画像データを記録媒体１２６に記録してステップＳ１５０へ進む。
【００９２】
ステップＳ１５０において、ミラーダウンが終了したか否かを判定する。シーケンススイッチＳＷ３からオン信号が入力されるとステップＳ１５０が肯定判定されてステップＳ１５１へ進み、シーケンススイッチＳＷ３からオン信号が入力されない場合はステップＳ１５０が否定判定されて、ミラーダウンを継続するように判定処理を繰り返す。
【００９３】
ステップＳ１５１において、モータ駆動回路１１２に指令を出力し、シーケンスモータ１１３を停止させて図９による処理を終了し、図２のステップＳ２へ戻る。なお、シーケンスモータ１１３は、逆通電ブレーキやショートブレーキなどのブレーキ処理により瞬時に停止され、オーバーランは無視できる程度であるものとする。また、画像記録には比較的時間がかかるが、ミラーダウン終了前には画像記録が終了するようにシーケンス機構は構成されている。これにより、一連の撮影処理が終了する。
【００９４】
（プレビューシーケンス処理）
図２のステップＳ１４におけるプレビューシーケンス処理の詳細について、図１０、図１１のフローチャートを参照して説明する。図１０のステップＳ１６１において、モータ駆動回路１１２に指令を出力し、シーケンスモータ１１３の逆転を開始させてステップＳ１６２へ進む。これにより、不図示のミラーをミラーダウンした状態、およびシャッタ１１５をチャージした状態を保持したまま絞りの絞り込みのみを開始させる。
【００９５】
ステップＳ１６２(通信成立フラグＬ＝１の判定)からステップＳ１６５（絞り係止）までの各処理は、図９のステップＳ１３３(通信成立フラグＬ＝１の判定)からステップＳ１３６（絞り係止）までの各処理と同様の処理を行う。ステップＳ１６６において、絞り込みが終了したか否かを判定する。シーケンススイッチＳＷ３からオン信号が入力されるとステップＳ１６６が肯定判定されてステップＳ１６７へ進み、シーケンススイッチＳＷ３からオン信号が入力されない場合はステップＳ１６６が否定判定される。否定判定する場合には、絞り込みを継続するように判定処理を繰り返す。
【００９６】
ステップＳ１６７において、モータ駆動回路１１２に指令を出力し、シーケンスモータ１１３を停止させてステップＳ１６８へ進む。なお、シーケンスモータ１１３は、逆通電ブレーキやショートブレーキなどのブレーキ処理により瞬時に停止され、オーバーランは無視できる程度であるものとする。ステップＳ１６８においては、プレビュー動作処理を行いステップＳ１６９へ進む。なお、プレビュー動作処理の詳細については後述する。
【００９７】
ステップＳ１６９において、モータ駆動回路１１２に指令を出力し、シーケンスモータ１１３に正転を開始させてステップＳ１７０へ進む。これにより、不図示のミラーをミラーダウンした状態、およびシャッタ１１５をチャージした状態を保持したまま絞りの開放復帰が開始される。ステップＳ１７０において、絞りの開放復帰が終了したか否かを判定する。シーケンススイッチＳＷ３からオン信号が入力されるとステップＳ１７０が肯定判定されてステップＳ１７１へ進み、シーケンススイッチＳＷ３からオン信号が入力されない場合はステップＳ１７１が否定判定される。否定判定する場合には、絞りの開放復帰を継続するように判定処理を繰り返す。ステップＳ１７１において、モータ駆動回路１１２に指令を出力し、シーケンスモータ１１３を停止させて図２のステップＳ２へ進む。これにより、一連のプレビューシーケンス処理が終了する。
【００９８】
図１０のステップＳ１６８におけるプレビュー動作処理について、図１１のフローチャートを参照して説明する。図１１のステップＳ１８１において、通信成立フラグＬが０であるか否かを判定する。フラグＬが１（新レンズ装着）の場合、ステップＳ１８１が否定判定されて後述するステップＳ１９４へ進む。フラグＬが０（新レンズ装着）の場合、ステップＳ１８１が肯定判定されてステップＳ１８２へ進む。
【００９９】
ステップＳ１８２において、シャッタ速度設定部材１０７により設定シャッタ速度ＴＶｓが変更されたか否かを判定する。設定シャッタ速度ＴＶｓが変更されていない場合はステップＳ１８２が否定判定されて後述するステップＳ１９６へ進み、設定シャッタ速度ＴＶｓが変更された場合はステップＳ１８２が肯定判定されてステップＳ１８３へ進む。
【０１００】
ステップＳ１８３（高速設定判定）からステップＳ１９０（設定シャッタ速度ＴＶｓの値を０に設定）までの各処理は、図５のステップＳ６３（高速設定判定）からステップＳ７０（設定シャッタ速度ＴＶｓの値を０に設定）までの各処理と同様の処理を行う。ただし、ステップＳ４へ進む処理はステップＳ１９１へ進む処理に置き換える必要がある。
【０１０１】
ステップＳ１８２が否定判定されて進んだステップＳ１９６（感度変更操作判定）からステップＳ２０２（設定感度ＳＶｓの値から１を減算）までの各処理は、図４のステップＳ３５（感度変更操作判定）からステップＳ４１（設定感度ＳＶｓの値から１を減算）までの各処理と同様の処理を行う。ただし、ステップＳ４へ進む処理はステップＳ１９１へ進む処理に置き換える必要がある。
【０１０２】
ステップＳ１９１において、装着された旧レンズの絞り環により設定値まで絞り込まれた実絞りの状態で測光装置１０２が測光した被写体光の開放測光値（ＢＶ−ＡＶＲ）を取り込んでステップＳ１９２へ進む。なお、プレビュー動作中にユーザが旧レンズの絞り環を操作した場合は、絞り値を変更することで開放測光値（ＢＶ−ＡＶＲ）に反映される。なお、ＡＶＲは実絞りの値である。
【０１０３】
ステップＳ１９２において、プレビュー動作中における実絞り値に基づいて、以下の式（６）を用いて露出偏差ΔＥＶを算出してステップＳ１９３へ進む。
ΔＥＶ＝（ＢＶ−ＡＶＲ）＋ＳＶｓ−ＴＶｓ  ・・・（６）
【０１０４】
ステップＳ１９３において、表示装置１０６に設定シャッタ速度ＴＶｓの値、露出偏差ΔＥＶ、および設定感度ＳＶｓの値を点灯表示させる。さらに、設定絞り値ＡＶｓが不明なので、表示装置１０６に「Ｆ−−」マークを点灯表示させてステップＳ１９５へ進む。ここで、露出偏差ΔＥＶの値は、たとえば露出偏差インジケータなどのような形態で表示されるものとする。なお、露出偏差ΔＥＶの値は、正の場合に露出オーバー、負の場合に露出アンダーとなるように表示するのが好ましい。
【０１０５】
一方、ステップＳ１８１が否定判定されて進んだステップＳ１９４においては、新レンズが装着されているので、図５のステップＳ５２〜ステップＳ６０で絞り設定部材１０８により設定された設定絞り値ＡＶｓの値を表示装置１０６に表示させてステップＳ１９５へ進む。ステップＳ１９５においては、プレビュー解除操作が行われたか否かを判定する。プレビュースイッチＳＷ２から解除指示信号を入力した場合は、ステップＳ１９５が肯定判定されて図１０のステップＳ１６９へ進む。プレビュースイッチＳＷ２から解除指示信号を入力しない場合は、ステップＳ１９５が否定判定されてステップＳ１８１へ戻る。
【０１０６】
以上で説明した実施の形態の電子カメラによれば、以下の作用効果が得られる。
（１）電子カメラに絞り状態を伝達できないレンズ（たとえば旧レンズ）が装着された場合、演算回路１０１は、感度自動制御モードが設定されている場合、プレビューの開始指示信号を入力した時、適正露出を得るために行う撮像感度の変更を禁止するようにした。すなわち、旧レンズによるプレビューで絞りを絞り込んで測光している状態から撮像シーケンスに移行した場合、シーケンスモータ１１３の正転により絞りが一旦開放されるために演算回路１０１が適正露出を得るための演算ができないという事態を防ぐ。したがって、撮像感度自動制御に伴う不具合を解消することができるので、旧レンズ使用時における操作性を向上することができる。
【０１０７】
（２）旧レンズが装着され、かつプレビュー動作中に、演算回路１０１で算出した露出偏差ΔＥＶを表示装置１０６に表示するようにした。したがって、旧レンズ使用時においても、ユーザは被写体の露出を確認できるので、利便性を向上することができる。
【０１０８】
（３）通信可能（絞り状態の伝達可能）な新レンズが装着され、かつプレビュー動作中には、表示装置１０６に絞り設定部材１０８により設定された設定絞り値ＡＶｓを表示するようにした。したがって、プレビュー動作中においても絞り値を確認できる。さらに、旧レンズが装着された場合とは表示装置１０６の表示内容が異なるので、表示装置１０６によりユーザは装着された撮影レンズＬＥが旧レンズか新レンズかを確認することができるので利便性が向上する。
【０１０９】
また、本発明の特徴を損なわない限り、本発明は上記実施の形態に限定されるものではなく、本発明の技術的思想の範囲内で考えられるその他の形態についても、本発明の範囲内に含まれる。
【０１１０】
たとえば、上述した実施の形態のカメラに対して以下のような変形が可能である。
（１）シャッタ速度設定操作部材１０７は、設定シャッタ速度（露光時間）ＴＶｓを設定範囲０≦ＴＶｓ≦１０の範囲で１段ステップ設定するものに限定されず、たとえば１／３段ステップで設定してもよい。
【０１１１】
（２）絞り設定操作部材１０８は、絞り値を開放から最小絞りまで１段ステップで設定するものに限定されず、たとえば１／３段ステップで設定してもよい。
（３）上述した実施の形態では、電子カメラが装着された撮影レンズから絞り状態を検出できない場合として、旧レンズが装着された場合について記載した。しかし、撮影時の絞り値を検出できない撮影レンズが装着された場合であれば、上述した実施の形態における旧レンズが装着された場合と同様に処理する。たとえば、電子カメラと通信可能であっても、電子カメラに撮影時の絞り状態を伝達できない撮影レンズが装着された場合には、電子カメラは上記旧レンズが装着された場合と同様に処理する。
【図面の簡単な説明】
【０１１２】
【図１】本発明の一実施形態による電子カメラの構成を示すブロック図である。
【図２】カメラ動作の処理の流れについて説明するフローチャートである。
【図３】通信処理の詳細について説明するフローチャートである。
【図４】設定処理の詳細について説明するフローチャートである。
【図５】設定処理の詳細について説明するフローチャートである。
【図６】測光処理の詳細について説明するフローチャートである。
【図７】露出演算処理の詳細について説明するフローチャートである。
【図８】表示処理の詳細について説明するフローチャートである。
【図９】撮像シーケンス処理の詳細について説明するフローチャートである。
【図１０】プレビューシーケンス処理の詳細について説明するフローチャートである。
【図１１】プレビュー動作処理の詳細について説明するフローチャートである。
【符号の説明】
【０１１３】
１０１・・・演算回路  １０２・・・測光装置  １０４・・・感度設定部材
１０６・・・表示装置  １０７・・・シャッタ速度設定部材  １０８・・・絞り設定部材
１２１・・・撮像素子  ＳＷ２・・・プレビュースイッチ  ＬＥ・・・撮影レンズ
【図１】
2009088897.tif 000003
【図２】
2009088897.tif 000004
【図３】
2009088897.tif 000005
【図４】
2009088897.tif 000006
【図５】
2009088897.tif 000007
【図６】
2009088897.tif 000008
【図７】
2009088897.tif 000009
【図８】
2009088897.tif 000010
【図９】
2009088897.tif 000011
【図１０】
2009088897.tif 000012
【図１１】
2009088897.tif 000013